(57)【特許請求の範囲】
【請求項１】
上面と下面の中心の一部にその中心に縦穴が貫通して互いに嵌合し合う円錐穴と円錐突起とを形成し、下方のものの円錐穴に上方のものの円錐突起を嵌合して積重される適当厚みの多角柱体のブロックと、ブロックの厚みの長さを有して縦孔に挿通され、上端及び下端で上方のブロックのものと下方のブロックのものに連結できる連結棒とからなる積重ブロック。
【請求項２】
ブロックが大小二種類のもので構成され、適宜の組み合わせで積重する請求項１記載の積重ブロック。
【請求項３】
大きい方のブロックの底面周囲が面取りされる請求項２記載の積重ブロック。
【請求項４】
上下のブロックで平面位置を変えて積重される請求項１〜３いずれかに記載の積重ブロック。
【請求項５】
ブロックの接合面を接着剤で接着する請求項１〜４いずれかに記載の積重ブロック。
【請求項６】
多角柱体が四角柱である請求項１〜５いずれかに記載の積重ブロック。
【請求項７】
連結棒がボルトと、ボルトに螺合されるナットで構成され、円錐穴と円錐突起の底部にナットが挿入できる座繰り穴が形成される請求項１〜６いずれかに記載の積重ブロック。
【請求項８】
不同沈下した建物基礎の適所の下に穴を掘り、この穴にブロックを挿入してその上にジャッキを載せて建物基礎をジャッキアップし、ジャッキアップの反力によってブロックが下降すると、ブロックを連結棒で連結しながら継ぎ足して最下位のブロックが安定地盤に到達するまで押し込んで積重し、次いでジャッキアップして建物基礎を正規高さまで戻すとともに、最上位のブロックと建物基礎との間をサポートで支持する請求項１〜７いずれかに記載の積重ブロックを使用する建物の不同沈下修復方法。
【請求項９】
加圧器によって地中にブロックを連結棒で連結しながら安定地盤に到達するまで押し込んで積重し、地中に所定深さの支持体を埋設する請求項１〜７いずれかに記載の積重ブロックを使用する地中への支持体埋設方法。
【発明の詳細な説明】
【０００１】
【発明の属する技術分野】
本発明は、地中に埋め込まれる支持体として好適な積重ブロック及びこれを使用する建物の不同沈下修復方法並びに地中への支持体埋設方法に関するものである。
【０００２】
【従来の技術とその課題】
地中に埋め込まれる支持体には一般には杭がある。杭の材質は木製、鋼製、コンクリート製と種々あるが、いずれも打ち込みには難渋する。近時、騒音等の問題もあって杭を上から直接叩くことはできない。このため、オーガ等を用いて下穴を掘削し、これに杭を圧入する方式が多く取られるが、装置が大がかりになる上、住宅の密集地等では狭くて工事ができない。
【０００３】
又、直筒形の杭では支持力が劣るため、杭の外周に鍔を形成したりするものもある。しかし、このような杭は埋設するのが更に厄介である。
【０００４】
更に、杭の長さ調整も困難なことである。一般に、杭は安定地盤（支持地盤）まで到達させなければ用をなさないが、地表から安定地盤の深さまでは一定してしない。このため、杭長が安定地盤までの深さよりも短ければ継ぎ足し、長ければ切断することになる。
【０００５】
しかし、継ぎ足すにしても、切断するにしてもその作業がたいへんである。杭を継ぎ足すときには杭同士を固定する必要があり、鋼製のものであれば溶接等で可能であるが、それ以外のものであると複雑な構造が要求される。又、切断は、適当な切断器具を用いて行うことになるが、これもたいへんな作業である。
本発明は、支持力が強くて埋設と長さ調整が簡単にできる杭代わりの積重ブロックを提供する他、この積重ブロックの好適な用途を提供するものである。
【０００６】
【課題を解決するための手段】
以上の課題の下、本発明は、請求項１に記載した、上面と下面の中心の一部にその中心に縦穴が貫通して互いに嵌合し合う円錐穴と円錐突起とを形成し、下方のものの円錐穴に上方のものの円錐突起を嵌合して積重される適当厚みの多角柱体のブロックと、ブロックの厚みの長さを有して縦孔に挿通され、上端及び下端で上方のブロックのものと下方のブロックのものに連結できる連結棒とからなる積重ブロックを提供する。
【０００７】
以上の手段により、この積重ブロックを埋設するには、地中に穴を掘り、これに積重して行けばよい。そして、積重ブロックを所望の深さ（高さ）にするには、必要なだけのブロックを積重して行けばよい。このとき、ブロックは、錐形穴と錐形突起の嵌合によって容易に積重できるし、連結棒による連結で上下を通して一体化できる。
【０００８】
又、本発明は、以上の手段において、請求項２及び４、５に記した、ブロックが大小二種類のもので構成され、適宜な組み合わせで積重して行く手段、上下のブロックで平面位置を変えて積重する手段、ブロックの接合面を接着剤で接着する手段を提供する。これらの手段をとることにより、土に対して支持面が形成できて支持力が強まるとともに、連結も強化される。
【０００９】
更に、本発明は、以上の手段において、請求項３及び６に記した、大きい方のブロックの底面周囲が面取りされる手段、多角柱体が四角柱である手段を提供する。前者の手段によれば、上下だけでなく横方向の耐力も発生し、後者の手段によれば、保管等に便利なものとなる。
【００１０】
以上の他に、本発明は、請求項７に記した、連結棒がボルトと、ボルトに螺合されるナットで構成され、円錐穴と円錐突起の底部にナットが挿入できる座繰り穴が形成される手段を提供する。ボルトとナットという安価なもので確実な機能を派生させることができる。
【００１１】
一方で、本発明は、請求項８に記した、不同沈下した建物基礎の適所の下に穴を掘り、この穴にブロックを挿入してその上にジャッキを載せて建物基礎をジャッキアップし、ジャッキアップの反力によってブロックが下降すると、ブロックを連結棒で連結しながら継ぎ足して最下位のブロックが安定地盤に到達するまで押し込んで積重し、次いでジャッキアップして建物基礎を正規高さまで戻すとともに、最上位のブロックと建物基礎との間をサポートで支持する請求項１〜８いずれかに記載の積重ブロックを使用する建物の不同沈下修復方法を提供する。
【００１２】
この方法によれば、大した設備は要らないから、狭い場所でも工事ができることになる。そして、この作業において、埋設は容易であり、長さ調整も簡単であるから、建物の不同沈下修復方法が低コストで、確実にできる。
【００１３】
加えて、本発明は、請求項９に記した、加圧器によって地中にブロックを連結棒で連結しながら安定地盤に到達するまで押し込んで積重し、地中に所定深さの支持体を埋設する請求項１〜８いずれかに記載の積重ブロックを使用する地中への支持体埋設方法を提供する。
【００１４】
この方法によれば、地中に支持体を簡単に埋設できる。この場合において、大小のブロックを適宜組み合わせれば、途中に多くの鍔を形成できるから、支持力の強いものとなる。従って、軟弱地盤に建物基礎を設ける場合等に適する。
【００１５】
【発明の実施の態様】
以下、本発明の実施の態様を図面を参照して説明する。図２は本発明の一例を示すブロックの断面図、図３は平面図であるが、このブロック１０は、コンクリート製で適当厚みの多角柱体をしており、上面と下面の中心に互いに嵌合し合う円錐穴１２と円錐突起１４を形成するとともに、円錐穴１２と円錐突起１４の中心を縦孔１６で貫通したものである。
【００１６】
ブロック１０は、多角柱体をしておれば何角形でもよいし、場合によっては円柱でもよい。しかし、一般には、四角柱体が適する。製作が容易であるし、取扱性にも優れているからである。尚、本例のブロック１０は、接触面積を増すために底面周囲が比較的大きく面取りされているものである。
【００１７】
図４は本発明の他の一例を示すブロックの断面図、図５は平面図であるが、このブロック１０は、上記のブロック１０よりも若干小型のもので、裏面に面取りがない他は、円錐穴１２や円錐突起１４及び縦孔１６は同じ構成である。
【００１８】
尚、これら二種類のブロック１０の寸法を参考までに記しておくと、大きい方のブロック１０の縦横は４００×４００ｍｍ、厚みは１３０ｍｍ程度、小さい方のブロック１０の縦横は３００×３００ｍｍ、厚みは１３０ｍｍ程度のものが適当である。又、縦孔１６の直径は１６〜２２φ位である。更に、円錐穴１２、円錐突起１４は、直径が１５０ｍｍの略正三角錐をしているものが適する。これらはいずれも人が手で持てる重量をしている。
【００１９】
以上のブロック１０は積重されて使用される。この場合、下方のブロック１０の円錐穴１２の中に上方のブロック１０の円錐突起１４を嵌合する。ブロック１０の積重に際しては更に連結棒１８で連結される。連結棒１８は縦孔１６の中を挿通され、上端と下端でそれぞれ上下の連結棒１８と連結できる構造のものであり、これを達成できれば、どのような構造のものであってもよい。
【００２０】
図１は積重状態の一例を示す断面図であるが、本例のものは、連結棒１８がボルト２０と、これに螺合されるナット２２で構成されるものである。この場合、円錐穴１２と円錐突起１４のそれぞれ底部にナット２２が挿入できる座繰り穴２４、２６を形成するのが好ましい。
【００２１】
以上により、まず、最下位を構成することとなるブロック１０の円錐突起１４の座繰り穴２６の中にナット２２を挿入し、縦孔１６の中にボルト２０を通してナット２２に螺合しておく。次いで、円錐穴１２の座繰り穴２４の中にナット２２を挿入し、ボルト２０の上端に螺合して締め付ける。
【００２２】
この場合、ボルト２０は回せる必要があるから、両端に平行部や溝等の係合部２０ａを形成して工具が係合できるようにしておくのが好ましいし、ナット２２は座繰り穴２４中で回せなければならないから、座繰り穴２４はその工具が挿入できる程度の大きさにしておくのが好ましい。
【００２３】
この操作が終了すると、下から二番目を構成するブロック１０をその円錐突起１４を下方のブロック１０の円錐穴１２に挿入して積重する。そして、ボルト２０を縦孔１６に挿入し、その下端をナット２２に螺合する。次に、ボルト２０の上端にナット２２を螺合し、これを締め付ければ、上下二つのブロック１０は連結される。このような操作を繰り返して次々とブロック１０を積重して行く。
【００２４】
この場合において、ブロック１０は大小二種類のものを使用し、適宜な組み合わせで積重すれば、途中に支持面となる鍔が形成されて支持力が高まる。又、各々のブロック１０の位相を変えて積重するのも同様の効果がある。例えば、４５°位相を変えれば（円錐穴１２と円錐突起１４の嵌合によるものであるから、積重した状態でこのことが可能になる）、正八角形のものになる。この場合、大きい方のブロック１０の下面を小さい方のブロック１０の辺長付近まで面取りしておけば、横の力に対しても抵抗力を発する。
【００２５】
このようなブロック１０は、建物の不同沈下を修復する場合に用いて好適である。図６はその工事状態を示す説明図、図７は修復された状態の断面図であるが、先ず、沈下した建物基礎２８の適所に穴（壺穴）３０を掘り、この穴３０に上記のブロック１０を挿入する。この場合、ブロック１０の上面が建物基礎２８の僅か下方に達するのが適するが、一つのブロック１０で足らない場合は、上記の方法でブロック１０を連結して積重する。
【００２６】
ブロック１０がある程度の高さに達したなら、最上位のブロック１０の上面に鉄板３２を敷き、この上にジャッキ３４を載せる。そして、ジャッキアップして建物基礎２８を上昇させて正規の位置に戻すのであるが、このとき、ジャッキアップの反力によってブロック１０が下方に押し込まれる場合は、押し込みが止まるまで上記の方法でブロック１０を積重して行く。
【００２７】
ブロック１０の下方移動が止まると、最下位のブロック１０が安定地盤に達したことを意味するから、この状態で、ジャッキアップによって建物基礎２８を上昇させて正規位置まで戻す。そこで、適当なサポート３６をかませ、ジャッキ３４を抜き取る。
【００２８】
最後に、穴３０を埋め戻すのであるが、このとき、排土の他に砂利、採石、モルタル、地盤強固材等の強化材を間詰めするのが好ましい。尚、間詰めは、ブロック１０を継ぎ足すごとに行うのが好ましい。特に、小さい方のブロック１０の周囲にはこの間詰めを十分に行う。
【００２９】
以上によって、不同沈下した建物基礎２８は正規の高さまで修復できるのであるが、不同沈下が広い範囲に亘っておれば、何箇所かにこの方法を施せばよい。
【００３０】
一方、以上の積重ブロックは、地中へ支持体を埋設する場合に適用しても好適である。図８はその工事状態を示す説明図、図９はでき上がった状態の断面図であるが、上記と同じ要領で、加圧器３８によってブロック１０を連結棒１８で連結しながら下端のブロック１０が安定地盤に到達するまで地中に押し込んで積重するのである。
【００３１】
この場合、予めオーガ等で下穴を穿っておくのが好ましく、この下穴にブロック１０を加圧器３８で圧入して行くのである。この加圧器３８は、高周波で振動するバイブロ型が適し、これを重機のアーム４０に取り付け、アーム４０で押さえながら加圧器３８を作動させる。
【００３２】
ところで、安定地盤の深さが予めわかっている場合、ブロック１０をこれ以下の高さで予め積重しておいてもよい。継ぎ足しの手間が省けるからである。そして、それ以上深く埋設する場合に上記の要領で継ぎ足せばよい。
【００３３】
更に、安定地盤が岩盤のような強固なものである場合は、ブロック１０の積重体は一本の支持体となればよいのであるから、例えば、小さい方の一種類のものを積重したものでよい。
【００３４】
このような方法でブロック１０を適当間隔で地中に埋設して行けば、地中に支持力の高い支持体を埋設できる。従って、この上に建物基礎２８を敷設すれば、軟弱地盤であっても沈下の起こらない建物を建設できる。
【００３５】
【発明の効果】
以上、本発明によれば、ブロックを適宜積重して行くことで、所望の深さの支持体に形成できる。従って、通常の杭のような厄介な継ぎ足しや切断は必要でない。この場合において、ブロックは連結棒で連結されるから、剛性の高いものにすることができる。そして、ブロックを大小のものとし、これを適宜組み合わせることで、途中に支持面となる鍔を形成でき、支持力の強いものとすることができる。
【図面の簡単な説明】
【図１】  本発明の一例を示すブロックの積重状態の断面図である。
【図２】  本発明の一例を示すブロックの断面図である。
【図３】  本発明の一例を示すブロックの平面図である。
【図４】  本発明の他の一例を示すブロックの断面図である。
【図５】  本発明の他の一例を示すブロックの平面図である。
【図６】  本発明の一例を示す建物の不同沈下修復方法の説明図である。
【図７】  本発明の一例を示す建物の不同沈下が修復された状態の要部断面図である。
【図８】  本発明の一例を示す地中への支持体埋設方法の説明図である。
【図９】  本発明の一例を示す地中へ支持体が埋設された状態の断面図である。
【符号の説明】
１０  ブロック
１２  円錐穴
１４  円錐突起
１６  縦孔
１８  連結棒
２０  ボルト
２２  ナット
２４  座繰り穴
２６  座繰り穴
２８  建物基礎
３０  穴
３４  ジャッキ
３６  サポート
３８  加圧器
【図１】
0003852878.tif 000002
【図２】
0003852878.tif 000003
【図３】
0003852878.tif 000004
【図４】
0003852878.tif 000005
【図５】
0003852878.tif 000006
【図６】
0003852878.tif 000007
【図７】
0003852878.tif 000008
【図８】
0003852878.tif 000009
【図９】
0003852878.tif 000010